(57)【要約】【課題】  天板(10)の下方に設けられた燃焼室(2)の内部でブンゼンバーナ(3)を燃焼させると共に、該ブンゼンバーナ(3)からの燃焼排気を、前記燃焼室(2)の上端から前記天板(10)に開設されたバーナ用開口(101)を介して排出し、該排出された燃焼排気によって五徳上(4)の鍋(9)を加熱するガスコンロに於いて、多量の二次空気を供給できるようにし、燃焼室(2)の上部から火炎が溢れる不都合を確実に防止する。【解決手段】  前記燃焼室(2)より下方の空間に連通する下端流入口(65a)(65b)から前記ブンゼンバーナ(3)の炎孔部(35)の近傍に位置する上端流出口(66a)(66b)に繋がる二次空気案内路(67a)(67b)が設けられ、前記上端流出口(66a)(66b)は前記下端流入口(65a)(65b)に比べて絞られていること。【選択図】  図３
2005172378.tif 000002
【特許請求の範囲】
【請求項１】
天板(10)の下方に設けられた燃焼室(2)の内部でブンゼンバーナ(3)を燃焼させると共に、該ブンゼンバーナ(3)からの燃焼排気を、前記燃焼室(2)の上端から前記天板(10)に開設されたバーナ用開口(101)を介して排出し、該排出された燃焼排気によって五徳上の鍋(9)を加熱するガスコンロに於いて、
前記燃焼室(2)より下方の空間に連通する下端流入口から前記ブンゼンバーナ(3)の炎孔部の近傍に位置する上端流出口に繋がる二次空気案内路が設けられ、
前記上端流出口は前記下端流入口に比べて絞られている、ガスコンロ。
【請求項２】
請求項１に記載のガスコンロに於いて、
前記ブンゼンバーナ(3)は、前記炎孔が上端に開放した環状のバーナボディを備え、
前記二次空気案内路は、前記環状のバーナボディに於ける半径方向の外側及び内側に各別に設けられている、ガスコンロ。
【請求項３】
請求項２に記載のガスコンロに於いて、
前記バーナボディの半径方向の内側に設けられた二次空気案内路の上端流出口の形成域より更に前記半径方向内側の領域は閉塞板で塞がれている、ガスコンロ。
【請求項４】
請求項１から請求項３の何れかに記載のガスコンロに於いて、
前記バーナ用開口(101)は、上面に複数の鍋支持突起が設けられ且つ上下に貫通する排気口(41)を備えた五徳兼用カバーで覆われている、ガスコンロ。
【発明の詳細な説明】
【技術分野】
【０００１】
本発明は、ガス燃焼を完結させる燃焼室から吐出された燃焼排気で鍋(9)を加熱する形式のガスコンロに関するものである。
【背景技術】
【０００２】
図４は、ガス燃焼を完結させる燃焼室から吐出された燃焼排気で鍋(9)を加熱する従来のガスコンロの要部断面図である。
ガスコンロのケーシング(1)内にはガス燃焼ユニット(U)の燃焼室(2)が形成されていると共に、該燃焼室(2)の上端はケーシング(1)の天板(10)に開放している。又、燃焼室(2)の上端開放部は五徳兼用カバー(4)で覆われていると共に、該五徳兼用カバー(4)の上面には放射状に延びる複数の鍋載置リブ(40)が隆起しており、該鍋載置リブ(40)には燃焼室(2)を内外に連通させる為の排気口(41)が開設されている。
【０００３】
一方、燃焼室(2)内にはブンゼンバーナ(3)の炎孔(35)(35)が露出していると共に、燃焼室(2)の底壁(21)には二次空気孔(22)(22)が開設されている。
このものでは、ガス燃焼用の二次空気は燃焼室(2)の底壁(21)に開設された二次空気孔(22)から該燃焼室(2)内に流入すると共に、該二次空気によってブンゼンバーナ(3)の燃焼が燃焼室(2)内で完結する。そして、この燃焼の完結によって生成された燃焼排気は、燃焼室(2)の上端開放部を覆う五徳兼用カバー(4)に開設された排気口(41)(41)から吐出されて鍋(9)を加熱する。
【０００４】
このものでは、鍋(9)と五徳兼用カバー(4)との上下間には燃焼排気が接触できるような空間が確保されれば良い。従って、ブンゼンバーナ(3)を天板(10)の上方で燃焼させる為に背の高い五徳を用いる形式のガスコンロに比べ、鍋(9)の載置高さを低くすることができ、これにより、鍋(9)の安定化を図ることができる。又、ケーシング(1)に於ける天板(10)の上面の凹凸度合いが小さくなり、意匠感が向上する。
【特許文献１】特開平５−１４１６６０号公報
【発明の開示】
【発明が解決しようとする課題】
【０００５】
しかしながら、上記従来のものでは、ブンゼンバーナ(3)の炎孔(35)部分に二次空気を十分に供給することができず、五徳兼用カバー(4)の排気口(41)(41)から火炎が溢れるのを完全に防止するのが困難であるという問題があった。
上記問題点について更に詳述する。
上記従来のものでは、二次空気孔(22)(22)が単純孔で形成されているから、ガス燃焼部への二次空気の供給量は専ら二次空気孔(22)(22)の大きさに依存する。ところが、二次空気孔(22)(22)を大きくした場合、例えば、底壁(21)が実質的に存在しないに等しい程度に二次空気孔(22)(22)を大きくした場合には、ブンゼンバーナ(3)の火炎が、大きな二次空気孔(22)(22)の一部を介して下方に漏出するという、火炎の逆流現象を招来する。
【０００６】
従って、二次空気孔(22)(22)の大きさは、前述した二次空気量の確保と火炎の逆流防止の要請を調和点として定められる。ところが、上記従来のものでは二次空気孔(22)(22)が単純孔で形成されているから、上記２つの背反する要請を同時に満足することが困難である。
かかる背景の下、火炎の逆流防止を優先させるべく小さな二次空気孔(22)(22)を採用する結果、二次空気量が不足気味になってブンゼンバーナ(3)の火炎が長くなり、該火炎の先端が五徳兼用カバー(4)の排気口(41)(41)から溢れ易くなるのである。そして、排気口(41)(41)から火炎が溢れると、火炎が五徳兼用カバー(4)に接触して冷却され、一酸化炭素が生じ易くなる心配等が生じる。
【０００７】
本発明は、かかる点に鑑みて成されたもので、
『天板(10)の下方に設けられた燃焼室(2)の内部でブンゼンバーナ(3)を燃焼させると共に、該ブンゼンバーナ(3)からの燃焼排気を、前記燃焼室(2)の上端から前記天板(10)に開設されたバーナ用開口(101)を介して排出し、該排出された燃焼排気によって五徳上の鍋(9)を加熱するガスコンロ』に於いて、ガス燃焼部に十分な量の二次空気を供給できるようにし、燃焼室(2)の上部から火炎が溢れる不都合を確実に防止することを課題とする。
【課題を解決するための手段】
【０００８】
[請求項１に係る発明]
上記課題を解決する為の請求項１に係る発明の技術的手段は、
『前記燃焼室(2)より下方の空間に連通する下端流入口から前記ブンゼンバーナ(3)の炎孔部の近傍に位置する上端流出口に繋がる二次空気案内路が設けられ、
前記上端流出口は前記下端流入口に比べて絞られている』ことである。
上記技術的手段は次のように作用する。
二次空気案内路の下端流入口の開口面積は、これより絞られた上端流出口の開口面積に比べて大きくなっていると共に、前記下端流入口は燃焼室(2)より下方の空間に連通している。又、二次空気案内路の上端流出口はブンゼンバーナ(3)の炎孔部近傍に位置している。従って、ブンゼンバーナ(3)の炎孔部からガスが噴出すると、二次空気案内路の上端流出口（ブンゼンバーナ(3)の炎孔部の近傍に位置している）内の空気が前記炎孔部からの噴出ガスによるエゼクタ効果によって誘引され、これにより、開口面積の大きな下端流入口に流入した多量の空気が、上端流出口から前記炎孔部に二次空気として供給される。
【０００９】
又、上記したように、下端流入口に流入した多量の二次空気は、ブンゼンバーナ(3)の燃焼に伴うドラフト効果によって二次空気案内路を上昇し、上端流出口からブンゼンバーナ(3)の炎孔部に供給される。
このように、上記技術的手段によれば、開口面積の大きな下端流入口に流入した多量の空気が、前記エゼクタ効果とドラフト効果の重畳的効果によってブンゼンバーナ(3)の炎孔部に多量の二次空気として供給される。
従って、前記多量の二次空気によって、ブンゼンバーナ(3)の燃焼が燃焼室(2)内で完結し易くなり、これにより、燃焼室(2)の上部から火炎が溢れる不都合を確実に防止することができる。
【００１０】
[請求項２に係る発明]
請求項１に係る発明に於いて、
『前記ブンゼンバーナ(3)は、前記炎孔が上端に開放した環状のバーナボディを備え、
前記二次空気案内路は、前記環状のバーナボディに於ける半径方向の外側及び内側に各別に設けられている』ものでは、バーナボディの半径方向の外側及び内側に各別に設けられた二次空気案内路の夫々の上端流出口が、バーナボディ上端の炎孔部の両脇に位置した状態になる。従って、炎孔部の両脇から二次空気が供給されるから、上記半径方向の外側又は内側の何れか一方から二次空気が供給される場合に比べ、更に十分な量の二次空気が炎孔部に供給される。
【００１１】
[請求項３に係る発明]
請求項２に係る発明に於いて、
『前記バーナボディの半径方向の内側に設けられた二次空気案内路の上端流出口の形成域より更に前記半径方向内側の領域は閉塞板で塞がれている』ものでは、前記閉塞板が設けられているから、燃焼室(2)内の火炎が環状のバーナボディの中央から下方に溢れるような火炎逆流現象が防止される。
【００１２】
[請求項４に係る発明]
請求項１〜３に係る発明に於いて、
『前記バーナ用開口(101)は、上面に複数の鍋支持突起が設けられ且つ上下に貫通する排気口(41)を備えた五徳兼用カバーで覆われている』ものでは、五徳兼用カバーの上面に設けられた複数の鍋支持突起に鍋を載置することができる。従って、独立した五徳を設ける必要がなく、部品点数が少なくなる。
【発明の効果】
【００１３】
本願発明は次の特有の効果を有する。
開口面積が大きな下端流入口に流入した多量の空気が、エゼクタ効果とドラフト効果の重畳的効果によってガス燃焼部へ十分な量の二次空気として供給される。従って、ブンゼンバーナ(3)の燃焼が燃焼室(2)内で完結し易くなり、これにより、燃焼室(2)の上部から火炎が溢れる不都合を確実に防止することができる。
請求項２に係る発明では、炎孔部の両脇から二次空気が供給されるから、環状のバーナボディの半径方向の外側又は内側の何れか一方から二次空気が供給される場合に比べ、更に十分な量の二次空気が炎孔部に供給され、上記火炎の溢れを一層確実に防止することが出来る。
【００１４】
請求項３に係る発明では、既述したように、燃焼室(2)内の火炎が環状のバーナボディの中央から下方に溢れるような火炎逆流現象が防止される。又、閉塞板を設けたから、燃焼室より下方の空気が環状のバーナボディの中央空間を介して燃焼室内に短絡的に流入する不都合がない。よって、燃焼室より下方の空気が確実に二次空気案内路を経由して炎孔部に供給される。
請求項４に係る発明では、既述したように、独立した五徳を設ける必要がないから、その分、必要部品点数が少なくなる。
【発明を実施するための最良の形態】
【００１５】
以下に、本発明を実施するための最良の形態について添付図面を参照しながら説明する。
図１は、本発明の実施の形態を説明するガスコンロの概略斜視図である。
扁平な矩形箱状に形成されたケーシング(1)の天板(10)にはバーナ用開口(101)が開設されていると共に、該バーナ用開口(101)部分には、五徳兼用カバー(4)とブンゼンバーナ(3)等から成るガス燃焼ユニット(U)が配設されている。又、ケーシング(1)の前面の操作部(11)(11)には、ガス燃焼ユニット(U)に点・消火する際に押し込み操作し、且つ、火力調節の際には回転操作する操作つまみ(51)(51)と、ガス燃焼ユニット(U)が燃焼状態にあることを報知する燃焼ランプ(52)(52)が配設されている。
【００１６】
図２は上記ガス燃焼ユニット(U)の分解斜視図である。
ガス燃焼ユニット(U)は、ブンゼンバーナ(3)と、該ブンゼンバーナ(3)のバーナボディ(32)の上部に被冠される二次空気ガイド(6)と、前記バーナボディ(32)等を収容する外筒(24)と、更に、該外筒(24)の上端開放部を覆う五徳兼用カバー(4)とから構成されている。
【００１７】
図３に示すように、ブンゼンバーナ(3)は、燃料ガス供給用のガスノズル(19)が差し込まれる上流端のガス入り口(34)を備えたベンチュリ(33)と、該ベンチュリ(33)の下流端に連設された中空環状のバーナボディ(32)とから構成されており、前記ベンチュリ(33)内で、燃料ガスと一次空気が混合されて前記バーナボディ(32)に送られるようになっている。
又、上記バーナボディ(32)の上端部には上方に開放する炎孔(35)が形成されている。
上記バーナボディ(32)の上部を覆うように配設される二次空気ガイド(6)は、上記炎孔(35)に二次空気を案内するガイド用内筒(61)とガイド用外筒(62)とから構成されており、これらガイド用内筒(61)とガイド用外筒(62)は互いに同軸状に配設されている。
【００１８】
バーナボディ(32)の内側に配設されるガイド用内筒(61)は、下部の小径筒部(610)と、その上端から外側に広がるテーパー筒部(611)と、該テーパー筒部(611)の上端を鉛直方向に屈曲起立させた短筒部(612)とから構成されている。そして、上記ガイド用内筒(61)の小径筒部(610)は、ブラケット(613)(613)を介してバーナボディ(32)の内周壁に対してこれと同軸状に取り付けられており、これにより、バーナボディ(32)の内周とガイド用内筒(61)の外周との間には、後述する燃焼室(2)より下方の空間に連通する下端流入口(65a)から上端流出口(66a)に繋がる二次空気案内路(67a)が形成される。そして、上端流出口(66a)はバーナボディ(32)の炎孔(35)の近傍に位置していると共に、前記上端流出口(66a)の開口幅(S2)は下端流入口(65a)の開口幅(S1)に比べて小さく設定されており、これにより、上端流出口(66a)は下端流入口(65a)に比べて絞られた状態になっている。又、ガイド用内筒(61)のテーパー筒部(611)部分には閉塞板(69)が嵌入されている。
【００１９】
バーナボディ(32)の外側に配設されるガイド用外筒(62)は、下部の大径筒部(620)と、その上端から内側に縮径されるテーパー筒部(621)と、該テーパー筒部(621)の上端を鉛直方向に屈曲起立させた短筒部(622)とから構成されている。そして、上記ガイド用外筒(62)の大径筒部(620)は、ブラケット(623)(623)を介してバーナボディ(32)の外周壁に対してこれと同軸状に取り付けられており、これにより、バーナボディ(32)の外周とガイド用外筒(62)の内周との間には、後述する燃焼室(2)より下方の空間に連通する下端流入口(65b)から上端流出口(66b)に繋がる二次空気案内路(67b)が形成される。そして、上端流出口(66b)はバーナボディ(32)の炎孔(35)の近傍に位置していると共に、前記上端流出口(66b)の開口幅(S2')は下端流入口(65b)の開口幅(S1')に比べて小さく設定されており、これにより、上端流出口(66b)は下端流入口(65b)に比べて絞られた状態になっている。
【００２０】
ブンゼンバーナ(3)のバーナボディ(32)及び二次空気ガイド(6)は円筒状の外筒(24)に収容されていると共に、該外筒(24)内には、空気断熱層として機能する間隙(20)を存して断熱筒(26)が同軸状に設けられており、該断熱筒(26)は、セラミック等の断熱材料で構成されている。
上記断熱筒(26)内の上部には、ブンゼンバーナ(3)で加熱される金属製の環状板から成る赤熱プレート(25)が配設されており、該赤熱プレート(25)はブラケット(250)(250)によって断熱筒(26)に取り付けられている。
【００２１】
上記断熱筒(26)及び外筒(24)の上端に被蓋配設される五徳兼用カバー(4)は、本実施の形態では、熱伝導性の良好な金属材料で形成されており、図１〜図３に示すように、中央のドーム状隆起部(43)に貫設された中央排気口(41a)(41a)と、その外周域に貫設された周辺排気口(41b)(41b)とを備えている。又、五徳兼用カバー(4)の上面には、鍋(9)が載置される鍋支持突起(44)(44)が周方向に所定ピッチで配設されている。
【００２２】
次に、上記ガスコンロの使用の実際を説明する。
図１に表れる特定の操作つまみ(51)を押し込むと、図示しない点火装置が作動してブンゼンバーナ(3)の炎孔(35)部分に点火用スパークが連射される。
又、上記操作つまみ(51)が押し込まれると、ブンゼンバーナ(3)へのガス回路に挿入されたガス弁が開弁してガスノズル(19)からベンチュリ(33)のガス入り口(34)内に燃料ガスが噴出されると共に、該噴出時のエゼクタ効果によって、ガスノズル(19)の周囲の空気が燃焼用一次空気としてガス入り口(34)内に誘引され、これにより、一次空気が混合された燃焼ガスがブンゼンバーナ(3)の炎孔(35)から噴出する。そして、炎孔(35)から燃料ガスが噴出すると、二次空気案内路(67a)(67b)の上端流出口(66a)(66b)近傍の空気が炎孔(35)(35)からの噴出ガスによるエゼクタ効果によって誘引され、これが炎孔(35)(35)からの噴出ガスに対して二次空気として混合される。このとき、絞られた上端流出口(66a)(66b)の開口幅(S2)(S2')よりも下端流入口(65a)(65b)の開口幅(S1)(S1')は広いので、開口面積の大きな下端流入口(65a)(65b)に流入した多量の空気が、二次空気案内路(67a)(67b)から炎孔(35)(35)に二次空気として供給される。
【００２３】
又、下端流入口(65a)(65b)に流入した多量の二次空気は、ブンゼンバーナ(3)の燃焼に伴うドラフト効果によって二次空気案内路(67a)(67b)を上昇し、上端流出口(66a)(66b)からブンゼンバーナ(3)の炎孔(35)部に供給される。
このように、上記ガスコンロに組み込まれたガス燃焼ユニット(U)によれば、二次空気案内路(67a)(67b)に於ける開口面積の大きな下端流入口(65a)(65b)に流入した多量の空気が、前記エゼクタ効果とドラフト効果の重畳的効果によってブンゼンバーナ(3)の炎孔(35)(35)に十分な量の二次空気として円滑に供給される。そして、二次空気が混合された燃料ガスに対して、上記点火装置から点火されてこれが燃焼し、該燃焼によって生成される燃焼排気は、燃焼室(2)を上昇して五徳兼用カバー(4)の中央排気口(41a)及び周辺排気口(41b)から吐出されて鍋(9)を加熱する。このとき、二次空気ガイド(6)を構成するガイド用内筒(61)の半径方向内側の領域は閉塞板(69)で閉塞されているから、燃焼室(2)内の火炎が環状のバーナボディ(32)及びガイド用内筒(61)の中央から下方に溢れるような火炎逆流現象が防止される。又、ガス燃焼ユニット(U)の下方の空気は、ガイド用内筒(61)の中央から燃焼室(2)内に短絡的に流れ込まないから、下端流入口(65a)(65b)から二次空気案内路(67a)(67b)に二次空気が確実に流入する。
【００２４】
又、上記ガス燃焼に伴って、五徳兼用カバー(4)の下方の赤熱プレート(25)が赤熱され、該赤熱プレート(25)からの輻射熱が五徳兼用カバー(4)の周辺排気口(41b)越しに鍋(9)に照射され、前記輻射熱によっても鍋(9)が加熱される。
更に、燃焼室(2)の外周部には断熱筒(26)が設けられているから、該燃焼室(2)内の熱がケーシング(1)内に漏れ難くなって該ケーシング(1)内の電気部品等に熱的悪影響を与える不都合がない。又、燃焼室(2)内の熱が漏れないから、その分、燃焼室(2)内が高温状態に維持されて鍋(9)の加熱効率が向上する。
【００２５】
尚、本実施の形態では断熱筒(26)及び外筒(24)の集合体の上端開放部を五徳兼用カバー(4)で覆ったが、断熱筒(26)及び外筒(24)の集合体の上端開放部は必ずしも覆う必要はない。この場合、天板(10)上に於けるバーナ用開口(101)の外周域に五徳を載置する。
上記実施の形態では、ブンゼンバーナ(3)を自然燃焼させたが、給気用ファンによってブンゼンバーナ(3)の配設部に空気を供給することによって該ブンゼンバーナ(3)を強制燃焼させるようにしてもよい。
【図面の簡単な説明】
【００２６】
【図１】本発明の実施の形態を説明するガスコンロの斜視図
【図２】ガス燃焼ユニット(U)の分解斜視図
【図３】ガス燃焼ユニット(U)の配設部の拡大断面図
【図４】従来例の説明図
【符号の説明】
【００２７】
(1)・・・ケーシング
(2)・・・燃焼室
(3)・・・ブンゼンバーナ
(4)・・・五徳兼用カバー
(10)・・・天板
(35)・・・炎孔
(66a)(66b)・・・上端流出口
(67a)(67b)・・・二次空気案内路
(69)・・・閉塞板
【図１】
2005172378.tif 000003
【図２】
2005172378.tif 000004
【図３】
2005172378.tif 000005
【図４】
2005172378.tif 000006